(57)【特許請求の範囲】
【請求項１】
復調装置が受信する受信信号の信号点の絶対位相を検出して受信信号を復調する復調方法であって、
第１の位相検出方法で前記絶対位相を検出する第１のステップと、
前記第１の位相検出方法より検出速度が遅いか、或いは、前記第１の位相検出方法より検出精度が高い第２の位相検出方法で、該第１のステップと並行して前記絶対位相を検出する第２のステップと、
該第１及び第２のステップの位相検出結果が同じ場合は該第１のステップの位相検出結果に基づいて前記絶対位相を決定すると共に、該第１及び第２のステップの位相検出結果が互いに異なる場合は該第２のステップの位相検出結果に基づいて前記絶対位相を決定する第３のステップとを含む、復調方法。
【請求項２】
前記第３のステップにより前記絶対位相が決定された後、位相の変化に応答して前記第２のステップの位相検出結果に基づいて前記絶対位相を決定する第４のステップを更に含む、請求項１記載の復調方法。
【請求項３】
前記第１のステップは、存在する位相検出範囲から定期的に受信される同期信号の連続受信回数に基づいて同期検出を判断することで絶対位相を検出する、請求項１又は２記載の復調方法。
【請求項４】
前記第１のステップは、各位相検出範囲を隣接する位相検出範囲までオーバーラップさせて同期検出を行う、請求項３記載の復調方法。
【請求項５】
前記第１のステップは、前記同期信号の所定ビット数のエラーを許容する、請求項３又は４記載の復調方法。
【請求項６】
前記第１のステップは、各位相検出範囲に対する同期検出を並行して行う、請求項３〜５のいずれか１項記載の復調方法。
【請求項７】
前記第１のステップは、各位相検出範囲に対する同期検出を時間軸上順次行う、請求項３〜５のいずれか１項記載の復調方法。
【請求項８】
前記第１のステップは、受信信号に誤り訂正処理を施してから絶対位相を検出する、請求項３〜７のいずれか１項記載の復調方法。
【請求項９】
前記第１のステップは、複数種類の同期信号のうち任意の１種類の同期信号の連続受信回数に基づいて同期検出を判断することで絶対位相を検出する、請求項３〜７のいずれか１項記載の復調方法。
【請求項１０】
前記第１のステップは、複数種類の同期信号のうち任意の複数種類の同期信号の連続受信回数に基づいて同期検出を判断することで絶対位相を検出する、請求項３〜７のいずれか１項記載の復調方法。
【請求項１１】
前記第１のステップは、１又は複数種類の同期信号の同期信号部分に個別に同期検出の保護段数を設けた、請求項３〜７のいずれか１項記載の復調方法。
【請求項１２】
前記第１のステップは、１又は複数種類の同期信号の同期信号部分に個別に同期はずれ検出の保護段数を設けた、請求項３〜７のいずれか１項記載の復調方法。
【請求項１３】
前記第１のステップは、前記同期はずれ検出の際に前記同期信号の所定ビット数のエラーを許容する、請求項１２記載の復調方法。
【請求項１４】
前記第２のステップは、存在する位相検出範囲から定期的に受信される同期信号の受信回数の累積に基づいて同期検出を判断することで絶対位相を検出する、請求項１又は２記載の復調方法。
【請求項１５】
前記第２のステップは、各位相検出範囲を隣接する位相検出範囲までオーバーラップさせて同期検出を行う、請求項１４記載の復調方法。
【請求項１６】
前記第２のステップは、前記同期信号の所定ビット数のエラーを許容する、請求項１４又は１５記載の復調方法。
【請求項１７】
前記第２のステップは、各位相検出範囲に対する同期検出を並行して行う、請求項１４〜１６のいずれか１項記載の復調方法。
【請求項１８】
前記第２のステップは、各位相検出範囲に対する同期検出を時間軸上順次行う、請求項１４〜１６のいずれか１項記載の復調方法。
【請求項１９】
前記第２のステップは、複数種類の同期信号のうち任意の１種類の同期信号の連続受信回数に基づいて同期検出を判断することで絶対位相を検出する、請求項１４〜１８のいずれか１項記載の復調方法。
【請求項２０】
前記第２のステップは、複数種類の同期信号のうち任意の複数種類の同期信号の連続受信回数に基づいて同期検出を判断することで絶対位相を検出する、請求項１４〜１８のいずれか１項記載の復調方法。
【請求項２１】
前記第２のステップは、１又は複数種類の同期信号の同期信号部分に個別に同期検出の保護段数を設けた、請求項１４〜１８のいずれか１項記載の復調方法。
【請求項２２】
前記第２のステップは、１又は複数種類の同期信号の同期信号部分に個別に同期はずれ検出の保護段数を設けた、請求項１４〜１８のいずれか１項記載の復調方法。
【請求項２３】
前記第２のステップは、前記同期はずれ検出の際に前記同期信号の所定ビット数のエラーを許容する、請求項２２記載の復調方法。
【請求項２４】
前記受信信号は、２種類以上の変調方式で変調された信号からなり、前記第３のステップは、変調度の最も大きい変調方式に基づいて位相検出範囲を決定する、請求項３〜２３のいずれか１項記載の復調方法。
【請求項２５】
受信する受信信号の信号点の絶対位相を検出して受信信号を復調する復調装置を備えた受信装置であって、
復調装置は、
第１の位相検出方法で前記絶対位相を検出する第１の検出部と、
前記第１の位相検出方法より検出速度が遅いか、或いは、前記第１の位相検出方法より検出精度が高い第２の位相検出方法で、該第１の検出部と並行して前記絶対位相を検出する第２の検出部と、
該第１及び第２の検出部の位相検出結果が同じ場合は該第１の検出部の位相検出結果に基づいて前記絶対位相を決定すると共に、該第１及び第２の検出部の位相検出結果が互いに異なる場合は該第２の検出部の位相検出結果に基づいて前記絶対位相を決定する位相決定部とを含む、受信装置。
【請求項２６】
前記位相決定部により前記絶対位相が決定された後、位相の変化に応答して前記第２の検出部の位相検出結果に基づいて前記絶対位相を決定する位相修正部を更に含む、請求項２５記載の受信装置。
【請求項２７】
前記第１の検出部は、存在する位相検出範囲から定期的に受信される同期信号の連続受信回数に基づいて同期検出を判断することで絶対位相を検出する、請求項２５又は２６記載の受信装置。
【請求項２８】
前記第１の検出部は、各位相検出範囲を隣接する位相検出範囲までオーバーラップさせて同期検出を行う、請求項２７記載の受信装置。
【請求項２９】
前記第１の検出部は、前記同期信号の所定ビット数のエラーを許容する、請求項２７又は２８記載の受信装置。
【請求項３０】
前記第１の検出部は、各位相検出範囲に対する同期検出を並行して行う、請求項２７〜２９のいずれか１項記載の受信装置。
【請求項３１】
前記第１の検出部は、各位相検出範囲に対する同期検出を時間軸上順次行う、請求項２７〜２９のいずれか１項記載の受信装置。
【請求項３２】
前記第１の検出部は、受信信号に誤り訂正処理を施してから絶対位相を検出する、請求項２７〜３１のいずれか１項記載の受信装置。
【請求項３３】
前記第１の検出部は、複数種類の同期信号のうち任意の１種類の同期信号の連続受信回数に基づいて同期検出を判断することで絶対位相を検出する、請求項２７〜３１のいずれか１項記載の受信装置。
【請求項３４】
前記第１の検出部は、複数種類の同期信号のうち任意の複数種類の同期信号の連続受信回数に基づいて同期検出を判断することで絶対位相を検出する、請求項２７〜３１のいずれか１項記載の受信装置。
【請求項３５】
前記第１の検出部は、１又は複数種類の同期信号の同期信号部分に個別に同期検出の保護段数を設けた、請求項２７〜３１のいずれか１項記載の受信装置。
【請求項３６】
前記第１の検出部は、１又は複数種類の同期信号の同期信号部分に個別に同期はずれ検出の保護段数を設けた、請求項２７〜３１のいずれか１項記載の受信装置。
【請求項３７】
前記第１の検出部は、前記同期はずれ検出の際に前記同期信号の所定ビット数のエラーを許容する、請求項３６記載の受信装置。
【請求項３８】
前記第２の検出部は、存在する位相検出範囲から定期的に受信される同期信号の受信回数の累積に基づいて同期検出を判断することで絶対位相を検出する、請求項１又は２記載の受信装置。
【請求項３９】
前記第２の検出部は、各位相検出範囲を隣接する位相検出範囲までオーバーラップさせて同期検出を行う、請求項３８記載の受信装置。
【請求項４０】
前記第２の検出部は、前記同期信号の所定ビット数のエラーを許容する、請求項３８又は３９記載の受信装置。
【請求項４１】
前記第２の検出部は、各位相検出範囲に対する同期検出を並行して行う、請求項３８〜４０のいずれか１項記載の受信装置。
【請求項４２】
前記第２の検出部は、各位相検出範囲に対する同期検出を時間軸上順次行う、請求項３８〜４０のいずれか１項記載の受信装置。
【請求項４３】
前記第２の検出部は、複数種類の同期信号のうち任意の１種類の同期信号の連続受信回数に基づいて同期検出を判断することで絶対位相を検出する、請求項３８〜４２のいずれか１項記載の受信装置。
【請求項４４】
前記第２の検出部は、複数種類の同期信号のうち任意の複数種類の同期信号の連続受信回数に基づいて同期検出を判断することで絶対位相を検出する、請求項３８〜４２のいずれか１項記載の受信装置。
【請求項４５】
前記第２の検出部は、１又は複数種類の同期信号の同期信号部分に個別に同期検出の保護段数を設けた、請求項３８〜４２のいずれか１項記載の受信装置。
【請求項４６】
前記第２の検出部は、１又は複数種類の同期信号の同期信号部分に個別に同期はずれ検出の保護段数を設けた、請求項３８〜４２のいずれか１項記載の受信装置。
【請求項４７】
前記第２の検出部は、前記同期はずれ検出の際に前記同期信号の所定ビット数のエラーを許容する、請求項４６記載の受信装置。
【請求項４８】
前記受信信号は、２種類以上の変調方式で変調された信号からなり、前記位相決定部は、変調度の最も大きい変調方式に基づいて位相検出範囲を決定する、請求項２７〜４７のいずれか１項記載の受信装置。
【発明の詳細な説明】
【０００１】
【発明の属する技術分野】
本発明は復調方法及び受信装置に係り、特に復調装置が受信する受信信号の信号点の絶対位相を検出して受信信号を復調する復調方法及びこのような復調方法を採用する受信装置に関する。
【０００２】
【従来の技術】
デジタル衛星放送システム等の通信システムでは、ＢＰＳＫ，ＱＰＳＫ，ｎＰＳＫ，ｎＱＡＭ等のデジタル変調方式を採用して通信を行う。このような通信システムにおいて、デジタル変調方式で変調された信号は、受信装置のデジタル復調装置で復調されるが、復調の際には一般的に絶対位相の検出が不確定になる。
【０００３】
図１及び図２は、夫々８ＰＳＫで変調された信号の復調時の絶対位相の検出を説明する図である。図１がデータ１〜８の正しい位置を示すとすると、通常のデジタル復調装置はこのようなデータ１〜８の正しい位置は判断できず、データの止るべき位置しか判断できない。このため、データの止るべき位置は正しくても、図２に示すように、データ１〜８の位置が正しい位置から例えば４５°位相がずれてしまうこともある。この場合、図１に示すデータ１〜８の正しい位置に対して、位相ずれとしては図２の場合を含み合計８通りのパターンが起こり得る。
【０００４】
従来、このような位相ずれを検出するためには、８通りの位相を順次検出する必要がある。通常の位相ずれ検出方法では、受信信号が図３に示すように同期信号とデータとからなる場合、規則正しく入来する同期信号の連続検出回数が設定値に達すると、データの１つの位相が検出されたものとして、同様にして８通りの全ての位相を検出する。
【０００５】
一般に、同期信号は数ビットで構成されている。これは、同期信号のビット数が小さいと、データ列の中に同期信号と同じパターンの信号が偶然に発生する確率が高くなってしまうからである。このため、天候等により受信装置の受信状態が悪くて受信信号がノイズによりかなりエラーを発生した場合、当然のことながら同期信号もエラーを発生してしまう。同期信号にエラーが発生すると、同期信号の検出に時間がかかったり、最悪の場合には同期信号の検出が不可能となったりする。
【０００６】
【発明が解決しようとする課題】
従来の受信装置は、受信状態が悪い場合でもノイズによるエラーの悪影響を抑制するために、検出精度の高い位相検出方法で受信信号の信号点の絶対位相を検出して受信信号を復調する。しかし、検出精度の高い位相検出方法の場合、検出速度が遅い。このため、受信装置の受信状態に拘らず、常に絶対位相の検出に比較的長い時間を要してしまうという問題があった。
【０００７】
そこで、本発明は、受信装置の受信状態に拘らず、受信信号の信号点の絶対位相の検出精度及び検出速度を向上することのできる復調方法及び受信装置を提供することを目的とする。
【０００８】
【課題を解決するための手段】
上記の課題は、復調装置が受信する受信信号の信号点の絶対位相を検出して受信信号を復調する復調方法であって、第１の位相検出方法で前記絶対位相を検出する第１のステップと、前記第１の位相検出方法より検出速度が遅いか、或いは、前記第１の位相検出方法より検出精度が高い第２の位相検出方法で、該第１のステップと並行して前記絶対位相を検出する第２のステップと、該第１及び第２のステップの位相検出結果が同じ場合は該第１のステップの位相検出結果に基づいて前記絶対位相を決定すると共に、該第１及び第２のステップの位相検出結果が互いに異なる場合は該第２のステップの位相検出結果に基づいて前記絶対位相を決定する第３のステップとを含む復調方法によって達成できる。この場合、受信装置の受信状態に拘らず、受信信号の信号点の絶対位相の検出精度及び検出速度を向上することができる。
【０００９】
復調方法は、前記第３のステップにより前記絶対位相が決定された後、位相の変化に応答して前記第２のステップの位相検出結果に基づいて前記絶対位相を決定する第４のステップを更に含んでも良い。この場合、ノイズにより位相が回転してしまっても、位相検出方法を検出精度の高い方の第２の位相検出方法に切り替えることで動作の安定化を図れる。
【００１０】
前記第１のステップは、存在する位相検出範囲から定期的に受信される同期信号の連続受信回数に基づいて同期検出を判断することで絶対位相を検出しても良い。この場合、絶対位相の検出速度を向上することができる。
前記第１のステップは、各位相検出範囲を隣接する位相検出範囲までオーバーラップさせて同期検出を行っても良い。この場合、絶対位相の検出速度を向上することができる。
【００１１】
前記第１のステップは、前記同期信号の所定ビット数のエラーを許容しても良い。この場合、受信信号のノイズが比較的多くても、絶対位相を検出することができる。
前記第１のステップは、各位相検出範囲に対する同期検出を並行して行っても良い。この場合、絶対位相の検出速度を向上することができる。
【００１２】
前記第１のステップは、各位相検出範囲に対する同期検出を時間軸上順次行っても良い。この場合、処理をハードウェアで行う場合のハードウェアの規模を小さくできる。
前記第１のステップは、受信信号に誤り訂正処理を施してから絶対位相を検出しても良い。この場合、絶対位相の検出精度を向上することができる。
【００１３】
前記第１のステップは、複数種類の同期信号のうち任意の１種類の同期信号の連続受信回数に基づいて同期検出を判断することで絶対位相を検出しても良い。この場合、絶対位相の検出速度を向上することができる。
前記第１のステップは、複数種類の同期信号のうち任意の複数種類の同期信号の連続受信回数に基づいて同期検出を判断することで絶対位相を検出しても良い。この場合、絶対位相の検出精度を向上することができる。
【００１４】
前記第１のステップは、１又は複数種類の同期信号の同期信号部分に個別に同期検出の保護段数を設けても良い。この場合、受信信号のノイズが多くても確実に同期引込を行うことができる。
前記第１のステップは、１又は複数種類の同期信号の同期信号部分に個別に同期はずれ検出の保護段数を設けても良い。この場合、受信信号のノイズが多くても確実に同期はずれを防止することができる。
【００１５】
前記第１のステップは、前記同期はずれ検出の際に前記同期信号の所定ビット数のエラーを許容しても良い。この場合、絶対位相の検出を高速に行うことができる。
前記第２のステップは、存在する位相検出範囲から定期的に受信される同期信号の受信回数の累積に基づいて同期検出を判断することで絶対位相を検出しても良い。この場合、絶対位相の検出精度を向上することができる。
【００１６】
前記第２のステップは、各位相検出範囲を隣接する位相検出範囲までオーバーラップさせて同期検出を行っても良い。この場合、絶対位相の検出速度を向上することができる。
前記第２のステップは、前記同期信号の所定ビット数のエラーを許容しても良い。この場合、受信信号のノイズが比較的多くても、絶対位相を検出することができる。
【００１７】
前記第２のステップは、各位相検出範囲に対する同期検出を並行して行っても良い。この場合、絶対位相の検出速度を向上することができる。
前記第２のステップは、各位相検出範囲に対する同期検出を時間軸上順次行っても良い。この場合、処理をハードウェアで行う場合のハードウェアの規模を小さくできる。
【００１８】
前記第２のステップは、複数種類の同期信号のうち任意の１種類の同期信号の連続受信回数に基づいて同期検出を判断することで絶対位相を検出しても良い。この場合、絶対位相の検出速度を向上することができる。
前記第２のステップは、複数種類の同期信号のうち任意の複数種類の同期信号の連続受信回数に基づいて同期検出を判断することで絶対位相を検出しても良い。この場合、絶対位相の検出精度を向上することができる。
【００１９】
前記第２のステップは、１又は複数種類の同期信号の同期信号部分に個別に同期検出の保護段数を設けても良い。この場合、受信信号のノイズが多くても確実に同期引込を行うことができる。
ができる。
前記第２のステップは、１又は複数種類の同期信号の同期信号部分に個別に同期はずれ検出の保護段数を設けても良い。この場合、受信信号のノイズが多くても確実に同期はずれを防止することができる。
【００２０】
前記第２のステップは、前記同期はずれ検出の際に前記同期信号の所定ビット数のエラーを許容しても良い。この場合、絶対位相の検出を高速に行うことができる。
前記受信信号は、２種類以上の変調方式で変調された信号からなり、前記第３のステップは、変調度の最も大きい変調方式に基づいて位相検出範囲を決定しても良い。この場合、受信信号が２種類以上の変調方式で変調された信号からなる場合にも対処可能である。
【００２１】
上記の課題は、受信する受信信号の信号点の絶対位相を検出して受信信号を復調する復調装置を備えた受信装置であって、復調装置は、第１の位相検出方法で前記絶対位相を検出する第１の検出部と、前記第１の位相検出方法より検出速度が遅いか、或いは、前記第１の位相検出方法より検出精度が高い第２の位相検出方法で、該第１の検出部と並行して前記絶対位相を検出する第２の検出部と、該第１及び第２の検出部の位相検出結果が同じ場合は該第１の検出部の位相検出結果に基づいて前記絶対位相を決定すると共に、該第１及び第２の検出部の位相検出結果が互いに異なる場合は該第２の検出部の位相検出結果に基づいて前記絶対位相を決定する位相決定部とを含む受信装置によっても達成される。この場合、受信装置の受信状態に拘らず、受信信号の信号点の絶対位相の検出精度及び検出速度を向上することができる。
【００２２】
受信装置の復調装置は、前記位相決定部により前記絶対位相が決定された後、位相の変化に応答して前記第２の検出部の位相検出結果に基づいて前記絶対位相を決定する位相修正部を更に含んでも良い。この場合、ノイズにより位相が回転してしまっても、位相検出方法を検出精度の高い方の第２の位相検出方法に切り替えることで動作の安定化を図れる。
【００２３】
前記第１の検出部は、存在する位相検出範囲から定期的に受信される同期信号の連続受信回数に基づいて同期検出を判断することで絶対位相を検出しても良い。この場合、絶対位相の検出速度を向上することができる。
前記第１の検出部は、各位相検出範囲を隣接する位相検出範囲までオーバーラップさせて同期検出を行っても良い。この場合、絶対位相の検出速度を向上することができる。
【００２４】
前記第１の検出部は、前記同期信号の所定ビット数のエラーを許容しても良い。この場合、受信信号のノイズが比較的多くても、絶対位相を検出することができる。
前記第１の検出部は、各位相検出範囲に対する同期検出を並行して行っても良い。この場合、絶対位相の検出速度を向上することができる。
【００２５】
前記第１の検出部は、各位相検出範囲に対する同期検出を時間軸上順次行っても良い。この場合、処理をハードウェアで行う場合のハードウェアの規模を小さくできる。
前記第１の検出部は、受信信号に誤り訂正処理を施してから絶対位相を検出しても良い。この場合、絶対位相の検出精度を向上することができる。
【００２６】
前記第１の検出部は、複数種類の同期信号のうち任意の１種類の同期信号の連続受信回数に基づいて同期検出を判断することで絶対位相を検出しても良い。この場合、絶対位相の検出速度を向上することができる。
前記第１の検出部は、複数種類の同期信号のうち任意の複数種類の同期信号の連続受信回数に基づいて同期検出を判断することで絶対位相を検出しても良い。この場合、絶対位相の検出精度を向上することができる。
【００２７】
前記第１の検出部は、１又は複数種類の同期信号の同期信号部分に個別に同期検出の保護段数を設けても良い。この場合、受信信号のノイズが多くても確実に同期引込を行うことができる。
前記第１の検出部は、１又は複数種類の同期信号の同期信号部分に個別に同期はずれ検出の保護段数を設けても良い。この場合、受信信号のノイズが多くても確実に同期はずれを防止することができる。
【００２８】
前記第１の検出部は、前記同期はずれ検出の際に前記同期信号の所定ビット数のエラーを許容しても良い。この場合、絶対位相の検出を高速に行うことができる。
前記第２の検出部は、存在する位相検出範囲から定期的に受信される同期信号の受信回数の累積に基づいて同期検出を判断することで絶対位相を検出しても良い。この場合、絶対位相の検出精度を向上することができる。
【００２９】
前記第２の検出部は、各位相検出範囲を隣接する位相検出範囲までオーバーラップさせて同期検出を行っても良い。この場合、絶対位相の検出速度を向上することができる。
前記第２の検出部は、前記同期信号の所定ビット数のエラーを許容しても良い。この場合、受信信号のノイズが比較的多くても、絶対位相を検出することができる。
【００３０】
前記第２の検出部は、各位相検出範囲に対する同期検出を並行して行っても良い。この場合、絶対位相の検出速度を向上することができる。
前記第２の検出部は、各位相検出範囲に対する同期検出を時間軸上順次行っても良い。この場合、処理をハードウェアで行う場合のハードウェアの規模を小さくすることができる。
【００３１】
前記第２の検出部は、複数種類の同期信号のうち任意の１種類の同期信号の連続受信回数に基づいて同期検出を判断することで絶対位相を検出しても良い。この場合、絶対位相の検出速度を向上することができる。
前記第２の検出部は、複数種類の同期信号のうち任意の複数種類の同期信号の連続受信回数に基づいて同期検出を判断することで絶対位相を検出しても良い。この場合、絶対位相の検出精度を向上することができる。
【００３２】
前記第２の検出部は、１又は複数種類の同期信号の同期信号部分に個別に同期検出の保護段数を設けても良い。この場合、受信信号のノイズが多くても確実に同期引込を行うことができる。
前記第２の検出部は、１又は複数種類の同期信号の同期信号部分に個別に同期はずれ検出の保護段数を設けても良い。この場合、受信信号のノイズが多くても確実に同期はずれを防止することができる。
【００３３】
前記第２の検出部は、前記同期はずれ検出の際に前記同期信号の所定ビット数のエラーを許容しても良い。この場合、絶対位相の検出を高速に行うことができる。
前記受信信号は、２種類以上の変調方式で変調された信号からなり、前記位相決定部は、変調度の最も大きい変調方式に基づいて位相検出範囲を決定しても良い。この場合、受信信号が２種類以上の変調方式で変調された信号からなる場合にも対処可能である。
【００３４】
従って、本発明によれば、受信装置の受信状態に拘らず、受信信号の信号点の絶対位相の検出精度及び検出速度を向上することのできる復調方法及び受信装置を実現することができる。
【００３５】
【発明の実施の形態】
先ず、本発明の動作原理を図４と共に説明する。図４は、本発明になる受信装置の復調装置の概略構成を示すブロック図である。
図４に示す復調装置は、受信信号の信号点の絶対位相を検出する第１の検出部１及び第２の検出部２と、位相決定部３とからなる。第１の検出部１は、第１の位相検出方法により絶対位相を検出し、第２の検出部は第２の位相検出方法により絶対位相を検出する。第２の位相検出方法は、第１の位相検出方法より検出速度が遅いか、或いは、第１の位相検出方法より検出精度が高い。又、第１の検出部１と第２の検出部２とは、並行して絶対位相を検出する。
【００３６】
位相決定部３は、第１及び第２の検出部１，２の位相検出結果が同じ場合は第１の検出部１の位相検出結果に基づいて絶対位相を決定すると共に、第１及び第２の検出部１，２の位相検出結果が互いに異なる場合は第２の検出部２の位相検出結果に基づいて絶対位相を決定する。
受信信号に含まれるノイズが比較的少ない場合、第１の位相検出方法によっても正確な絶対位相が検出できるので、第１及び第２の検出部１，２の位相検出結果は同じになる。従って、この場合は第１の検出部１の位相検出結果に基づいて絶対位相が決定されるので、高速に絶対位相を検出することができる。
【００３７】
他方、受信信号に含まれるノイズが比較的多い場合でも、第１及び第２の検出部１，２の位相検出結果が同じになることがある。このような場合、第１の検出部１の位相検出結果に基づいて絶対位相が決定されるので、高速に絶対位相を検出することができる。又、第１及び第２の検出部１，２の位相検出結果が互いに異なる場合には、位相検出結果が互いに異なることがわかった時点で第２の検出部２の位相検出結果に基づいて絶対位相を決定することができるので、検出位相を高速に修正することができる。つまり、受信信号のノイズの量に拘らす、一旦は第１の検出部１の位相検出結果に基づいて絶対位相が仮に決定されるので、第１及び第２の検出部１，２の位相検出結果が同じになった場合には、そのまま第１の検出部１の位相検出結果に基づいて仮に決定された絶対位相を絶対位相として決定するので、高速に絶対位相を検出することができる。
【００３８】
以下、本発明になる復調方法及び受信装置の実施例を図４以降と共に説明する。
【００３９】
【実施例】
図５は、本発明になる受信装置の一実施例を示すブロック図である。受信装置の本実施例では、本発明がデジタル衛星放送システムに適用されている。
図５において、受信装置１０は、大略ダウンコンバータ１１と、デジタル復調装置１２と、オーディオ／ビデオコンバータ１３とからなる。受信装置１０は、アンテナ９及びテレビ（ＴＶ）モニタ１５に接続されている。デジタル復調装置１２は、キャリア復調部２１と、絶対位相検出部２２と、エラー訂正部２３とからなる。
【００４０】
衛星８から送信されたデジタル変調方式で変調された信号は、アンテナ９により受信され、受信信号がダウンコンバータ１１に供給される。ダウンコンバータ１１は、受信信号を後段の信号処理に適したより低い周波数に周波数変換し、周波数変換された受信信号をデジタル復調装置１２に供給する。デジタル復調装置１２内では、キャリア復調部２１が受信信号のキャリアを復調する。絶対位相検出部２２は、キャリア復調部２１の出力に基づいて受信信号の信号点の絶対位相を検出する。又、エラー訂正部２３は、絶対位相検出部２２の出力に基づいてエラーを訂正する。
【００４１】
オーディオ／ビデオデコーダ１３は、デジタル復調装置１２のエラー訂正部２３の出力に基づいて、受信信号中のオーディオ／ビデオ信号をデコードしてＴＶモニタ１５に供給する。これにより、ＴＶモニタ１５は、オーディオ／ビデオ信号に基づいて音声及び画像を再生する。
受信装置の本実施例は、デジタル復調装置１２の特に絶対位相検出部２２の動作に特徴があり、その他の部分には例えば周知の回路や装置を使用可能である。従って、キャリア復調部２１及びエラー訂正部２３についても、周知の回路や装置を使用可能である。又、デジタル復調装置１２の機能は、図６に示すコンピュータシステムにより実現できる。
【００４２】
図６において、コンピュータシステムは、バス２０１により接続されたＣＰＵ２０２と、ＲＯＭ２０３と、ＲＡＭ２０４とからなる。ＣＰＵ２０２は、プログラムを実行することでデジタル復調装置１２の機能を実現する。ＣＰＵ２０２のプログラムは、ＲＯＭ２０３に格納されている。又、ＲＡＭ２０４は、ＣＰＵ２０２が行う演算処理の中間データ等を格納する。尚、ＲＯＭ２０３及びＲＡＭ２０４は、単一の記憶媒体で構成されていても、別々の記憶媒体で構成されていても良い。この場合の記憶媒体は、各種半導体装置に限定されず、磁気ディスク、光ディスク、光磁気ディスク等の各種ディスクやカード状記憶媒体等で構成されていても良い。尚、ディスクを記憶媒体として使用する場合には、ディスクドライブ装置がバス２０１に接続されることは言うまでもない。
【００４３】
図７は、デジタル復調装置１２の絶対位相検出部２２の動作をソフトウェアで実現した場合の図６に示すコンピュータシステムのＣＰＵ２０２の動作を説明するフローチャートである。図７に示す処理は、本発明になる復調方法の一実施例に対応する。
図７において、絶対位相検出処理が開始されると、ステップＳ１は、ダウンコンバータ１１及びキャリア復調部２１を介して得られる受信信号の信号点の絶対位相を第１の位相検出方法で検出する。ステップＳ２は、絶対位相が検出されたか否かを判定し、判定結果がＹＥＳであると、ステップＳ３は検出結果に基づいて絶対位相を仮に決定し、処理はステップＳ４へ進む。
【００４４】
他方、ステップＳ５は、ステップＳ１と並行して、ダウンコンバータ１１及びキャリア復調部２１を介して得られる受信信号の信号点の絶対位相を第２の位相検出方法で検出する。第２の位相検出方法は、第１の位相検出方法より検出速度が遅いか、或いは、第１の位相検出方法より検出精度が高い。本実施例では、第２の位相検出方法は、第１の位相検出方法より受信信号のノイズ量に対する検出誤りを発生しない範囲が広く設定されているので、第１の位相検出方法より誤検出を起こしにくい。ステップＳ６は、絶対位相が検出されたか否かを判定し、判定結果がＹＥＳであると、処理はステップＳ４へ進む。
【００４５】
ステップＳ４は、第１の位相検出方法で検出された絶対位相と、第２の位相検出方法で検出された絶対位相とを比較する。ステップＳ７は、比較された絶対位相が一致するか否かを判定し、判定結果がＹＥＳであると処理はステップＳ８へ進み、第１の位相検出方法で検出されてステップＳ３で仮に決定された絶対位相を継続して絶対位相として使用し、処理はステップＳ１０へ進む。他方、ステップＳ７の判定結果がＮＯであると、ステップＳ９はステップＳ３で仮に決定された絶対位相を、第２の位相検出方法で検出された絶対位相へ修正し、処理はステップＳ１０へ進む。ステップＳ１０は、上記ステップＳ８，Ｓ９の処理及び後述するステップＳ１６の処理に基づいて、絶対位相を最終的に決定する。
【００４６】
ステップＳ１１は、受信信号の信号点の絶対位相を第２の位相検出方法で検出し、ステップＳ１２は、リセット信号等によるリセットの指示が検出されたか否かを判定する。ステップＳ１２の判定結果がＹＥＳであると、処理はステップＳ１，Ｓ５に戻って絶対位相検出処理が再度開始される。リセットの指示は、ＣＰＵ２０２が例えばデジタル復調装置１２の動作が正常に行われていないことを検出すると発行される。他方、ステップＳ１２の判定結果がＮＯであると、ステップＳ１３は、絶対位相が検出されたか否かを判定し、判定結果がＮＯであると、処理はステップＳ１１へ戻る。ステップＳ１３の判定結果がＹＥＳであると、ステップＳ１４は、ステップＳ１１で検出された絶対位相とステップＳ１０で最終的に決定された絶対位相とを比較し、ステップＳ１５は、比較された絶対位相が一致するか否かを判定する。ステップＳ１５の判定結果がＹＥＳであると、処理はステップＳ１１へ戻る。他方、ステップＳ１５の判定結果がＮＯであると、ステップＳ１６は絶対位相を、第２の位相検出方法で検出された絶対位相へ修正し、処理はステップＳ１０へ戻る。
【００４７】
受信信号に含まれるノイズが比較的少ない場合、第１の位相検出方法によっても正確な絶対位相が検出できるので、第１及び第２の位相検出方法により検出した絶対位相は同じになる。従って、この場合は第１の位相検出方法による検出結果に基づいて絶対位相が決定されるので、高速に絶対位相を検出することができる。
【００４８】
他方、受信信号に含まれるノイズが比較的多い場合でも、第１及び第２の位相検出方法により検出した絶対位相が同じになることがある。このような場合、第１の位相検出方法による検出結果に基づいて絶対位相が決定されるので、高速に絶対位相を検出することができる。又、第１及び第２の位相検出方法による検出結果が互いに異なる場合には、検出結果が互いに異なることがわかった時点で第２の位相検出方法による検出結果に基づいて絶対位相を決定することができるので、検出位相を高速に修正することができる。つまり、受信信号のノイズの量に拘らす、一旦は第１の位相検出方法による検出結果に基づいて絶対位相が仮に決定されるので、第１及び第２の位相検出方法による検出結果が同じになった場合には、そのまま第１の位相検出方法による検出結果に基づいて仮に決定された絶対位相を絶対位相として決定するので、高速に絶対位相を検出することができる。
【００４９】
又、ステップＳ１０により絶対位相を最終的に決定した後に、ノイズにより位相が回転してしまう場合もあるが、本実施例ではステップＳ１１〜Ｓ１６によりこのような位相の回転にも対処している。つまり、ノイズにより位相が回転してしまうような場合には、受信信号のノイズ量が多いので、このような場合には、リセットの指示がない限り、位相の変化に対して検出精度の高い第２の位相検出方法で絶対位相を検出するようにしている。
【００５０】
図８は、図７に示すステップＳ１の処理の第１実施例を示すフローチャートである。図８において、ステップＳ１が開始されると、ステップＳ１０１は図３に示すような受信信号中の同期信号の連続受信回数ｎ１を設定し、ステップＳ１０２は、同期信号内のビットエラー許容数ｍ１を設定する。ステップＳ１０３は、実際のビットエラー数がビットエラー許容数ｍ１以下で同期信号に基づく同期検出が行われたか否かを判定する。ステップＳ１０３の判定結果がＹＥＳであると、ステップＳ１０４は、同期信号の受信回数ｓをｓ＝０にセットする。又、ステップＳ１０５は、実際のビットエラー数がビットエラー許容数ｍ１以下で同期信号に基づく同期検出が行われたか否かを判定する。ステップＳ１０３又はＳ１０５の判定結果がＮＯの場合には、処理はステップＳ１０３へ戻る。他方、ステップＳ１０５の判定結果がＹＥＳであると、ステップＳ１０６は、同期信号の受信回数ｓをｓ＝ｓ＋１にインクリメントする。ステップＳ１０７は、同期信号の受信回数ｓが同期信号の連続受信回数ｎ１と等しいか否かを判定し、判定結果がＮＯであると、処理はステップＳ１０５へ戻る。ステップＳ１０７の判定結果がＹＥＳであれば、処理は終了する。
【００５１】
例えば、説明の便宜上、同期信号の連続受信回数ｎ１がｎ１＝２、同期信号のパターンが８ビットで「１００１１０１０」、ビットエラー許容数ｍ１がｍ１＝１であるものとすると、受信信号のパターンが「１０１１１０１０」の場合、３ビット目のビット「１」は同期信号であれば本来は「０」のビットであるため、実際のビットエラー数が１となり、ビットエラー許容数ｍ１以下となるので、ステップＳ１０３の判定結果はＹＥＳとなる。又、受信信号のパターンが「１００１１０００」の場合、７ビット目のビット「０」は同期信号であれば本来は「１」のビットであるため、実際のビットエラー数が１となり、ビットエラー許容数ｍ１以下となるので、ステップＳ１０５の判定結果はＹＥＳとなる。更に、ステップＳ１０６で同期信号の受信回数ｓをインクリメントしてｓ＝２となると、ステップＳ１０７の判定結果はＹＥＳとなり、２回連続で同期検出が行われた位相が受信信号の信号点の絶対位相として検出される。
【００５２】
このように、本実施例では、第１の位相検出方法は、同期信号の連続受信回数ｎ１を適切に設定することにより、存在する位相検出範囲から、定期的に受信される同期信号の連続受信回数で同期検出を判断することにより絶対位相を検出する。
又、ビットエラー許容数ｍを適切に設定することにより、同期信号に任意ビット数のエラーが発生しても、受信を可能する。つまり、同期信号は通常は複数ビットで構成されているので、ノイズが多くなると同期信号の検出が困難になってくる。しかし、同期信号が例えば８ビットで構成されている場合に、そのうちの１ビットにエラーが発生していてもこれを許容し、同期信号を検出可能としている。このため、ノイズが多い場合でも同期信号の検出が可能となり、受信信号の信号点の絶対位相を高速に検出することができる。
【００５３】
図９は、図７に示すステップＳ１の処理の図８に示す第１実施例の変形例を示すフローチャートである。図９において、ステップＳ１が開始されると、ステップＳ１００は受信信号に対して誤り訂正処理を施し、その後処理はステップＳ１０１へ進む、図８と同様の処理が行われる。本変形例では、受信信号に対して誤り訂正処理を行ってから第１の位相検出方法による絶対位相の検出を行うので、検出速度の速い第１の位相検出方法による絶対位相の検出精度を向上することができる。
【００５４】
図１０は、図７に示すステップＳ５の処理の第１実施例を示すフローチャートである。図１０において、ステップＳ５が開始されると、ステップＳ５０１は図３に示すような受信信号中の同期信号の受信回数のスレッショルドｎ２を設定し、ステップＳ５０２は、同期信号内のビットエラー許容数ｍ２を設定する。ステップＳ５０３は、同期信号の受信回数ｓをｓ＝０にセットする。ステップＳ５０４は、実際のビットエラー数がビットエラー許容数ｍ２以下で同期信号に基づく同期検出が行われたか否かを判定する。ステップＳ５０４の判定結果がＮＯであると、ステップＳ５０４が繰り返される。他方、ステップＳ５０４の判定結果がＹＥＳであると、ステップＳ５０５は、同期信号の受信回数ｓをｓ＝ｓ＋１にインクリメントする。ステップＳ５０６は、同期信号の受信回数ｓが同期信号の連続受信回数ｎ２と等しいか否かを判定し、判定結果がＮＯであると、処理はステップＳ５０４へ戻る。ステップＳ５０６の判定結果がＹＥＳであれば、処理は終了する。
【００５５】
例えば、説明の便宜上、同期信号の連続受信回数ｎ２がｎ２＝１００００、同期信号のパターンが８ビットで「１００１１０１０」、ビットエラー許容数ｍ２がｍ２＝１であるものとすると、受信信号のパターンが「１００１１０００」の場合、７ビット目のビット「０」は同期信号であれば本来は「１」のビットであるため、実際のビットエラー数が１となり、ビットエラー許容数ｍ２以下となるので、ステップＳ５０４の判定結果はＹＥＳとなる。又、ステップＳ５０５で同期信号の受信回数ｓをインクリメントしてｓ＝１００００となると、ステップＳ５０６の判定結果はＹＥＳとなり、累積で１００００回同期検出が行われた位相が受信信号の信号点の絶対位相として検出される。
【００５６】
このように、本実施例では、第２の位相検出方法は、同期信号の受信回数のスレッショルドｎ２を適切に設定することにより、存在する位相検出範囲から、定期的に受信される同期信号の受信回数の累積で同期検出を判断することにより絶対位相を検出する。例えば、受信信号が８ＰＳＫで変調されている場合、位相は図１１に示すデータ１〜８の位置を取り得るので、８通りの位相が存在し得る。しかし、本実施例では、どの位相で同期信号が多く入来したかを累積することで、精度良く絶対位相を検出することができる。ノイズは、図１１に示すデータ１〜８の８点の各々を中心に混入してくるので、各位相毎に同期信号を検出することで、分布的に同期信号の多い位相が検出可能であり、これに基づいて絶対位相を検出できる。
【００５７】
又、ビットエラー許容数ｍ２を適切に設定することにより、同期信号に任意ビット数のエラーが発生しても、受信を可能する。つまり、同期信号は通常は複数ビットで構成されているので、ノイズが多くなると同期信号の検出が困難になってくる。しかし、同期信号が例えば８ビットで構成されている場合に、そのうちの１ビットにエラーが発生していてもこれを許容し、同期信号を検出可能としている。このため、ノイズが多い場合でも同期信号の検出が可能となり、受信信号の信号点の絶対位相を高速に検出することができる。
【００５８】
図１２は、図７に示すステップＳ１，Ｓ５の処理の第２実施例を示すフローチャートである。本実施例では、存在する位相検出範囲について、絶対位相検出処理を並行に行う。
図１２において、ステップＳ２１−１〜Ｓ２１−ｎは、夫々対応する位相検出範囲について絶対位相を並行して検出する。ステップＳ１の処理の場合、各ステップＳ２１−ｉ（ｉ＝１〜ｎ）は、図８に示した如き処理により絶対位相を検出する。又、ステップＳ５の処理の場合、各ステップＳ２１−ｉ（ｉ＝１〜ｎ）は、図１０に示した如き処理により絶対位相を検出する。ステップＳ２３は、ステップＳ２１−１〜Ｓ２１−ｎで検出された絶対位相のうち、最も速く検出された絶対位相を絶対位相として決定する。
【００５９】
受信信号が例えば８ＰＳＫで変調されている場合、ｎ＝８であり８通りの位相が存在する。この場合、本実施例では、ステップＳ２１−１〜Ｓ２１−８は、夫々対応する位相検出範囲について絶対位相を並行して検出する。このため、絶対位相の検出を高速に行うことができる。ステップＳ２１−１〜Ｓ２１−８の処理をハードウェアで行う場合には、８個の位相検出部を並列に動作させれば良い。
【００６０】
図１３は、図７に示すステップＳ１，Ｓ５の処理の第３実施例を示すフローチャートである。本実施例では、存在する位相検出範囲について、絶対位相検出処理を時間軸上順次行う。
図１３において、ステップＳ３１は、検出時間ｔを設定する。ステップＳ３２−１は、対応する位相検出範囲について絶対位相を検出する。ステップＳ３３−１は、時間ｔ以内にステップＳ３２−１による絶対位相の検出が終了したか否かを判定し、判定結果がＹＥＳであると、ステップＳ３４で絶対位相を検出された絶対位相に決定する。他方、ステップＳ３３−１の判定結果がＮＯであると、ステップＳ３２−２は、対応する位相検出範囲について絶対位相を検出する。ステップＳ３３−２は、時間ｔ以内にステップＳ３２−２による絶対位相の検出が終了したか否かを判定し、判定結果がＹＥＳであると、ステップＳ３４で絶対位相を検出された絶対位相に決定する。以下同様にして、ステップＳ３３−ｎ−１の判定結果がＮＯであると、ステップＳ３２−ｎは、対応する位相検出範囲について絶対位相を検出する。ステップＳ３３−ｎは、時間ｔ以内にステップＳ３２−ｎによる絶対位相の検出が終了したか否かを判定し、判定結果がＹＥＳであると、ステップＳ３４で絶対位相を検出された絶対位相に決定する。又、ステップＳ３３−ｎの判定結果がＮＯであると、処理はステップＳ３２−１へ戻る。
【００６１】
受信信号が例えば８ＰＳＫで変調されている場合、ｎ＝８であり８通りの位相が存在する。この場合、本実施例では、ステップＳ３２−１〜Ｓ３３−８は、夫々対応する位相検出範囲について絶対位相を順次検出する。このため、ステップＳ３２−１〜Ｓ３３−８の処理をハードウェアで行う場合には、１個の位相検出部を順次各位相検出範囲に対して動作させれば良く、ハードウェアの規模を縮小することができる。
【００６２】
次に、図７に示すステップＳ１，Ｓ５の処理の第４実施例を説明する。本実施例では、上記第２及び第３実施例のように第１又は第２の位相検出方法で絶対位相を検出する際に用いる位相検出範囲を、夫々隣の位相検出範囲とオーバーラップさせることで、絶対位相の検出時間を短縮する。
受信信号が例えば８ＰＳＫで変調されている場合、図１１に示すように８通りの位相が存在する。ところが、位相検出範囲を８つの範囲に等分割した場合、受信信号に含まれるノイズが多くなると、各位相検出範囲と隣接する位相検出範囲との差が見えにくくなり、絶対位相の検出に時間がかかってしまう。つまり、ノイズが少ない場合には、図１４（ａ）に黒点で示す位置にあるデータは、位相検出範囲Ｒ１からはみ出すことはなく、高速に絶対位相が検出できる。しかし、ノイズが多い場合には、信号が図１４（ｂ）にＨで示すように広がってしまい、位相検出範囲Ｒ１からはみ出してしまう。この場合、信号は隣接する位相検出範囲Ｒ２，Ｒ８でも誤検出されてしまい、絶対位相を正しく検出するのには時間がかかる。
【００６３】
そこで、本実施例では、絶対位相を検出する際に用いる位相検出範囲を、夫々隣接する位相検出範囲とオーバーラップさせる。具体的には、図１５に示すように、位相検出範囲Ｒ１を一方では隣接する位相検出範囲Ｒ２とオーバーラップするように拡げ、他方では位相検出範囲Ｒ８とオーバーラップするように拡げる。この結果、位相検出範囲Ｒ１内で検出される信号の量が増加して、この信号が位相検出範囲Ｒ１内に存在することを高速に、且つ、正しく検出することができる。尚、隣接する位相検出範囲Ｒ２，Ｒ８も同様にして隣接する位相検出範囲とオーバーラップするように拡げているが、この場合、位相検出範囲Ｒ２，Ｒ８を拡げることによりこれらの範囲Ｒ２，Ｒ８内で検出される信号の量の増加は、位相検出範囲Ｒ１を拡げることによりこの範囲Ｒ１内で検出される信号の量の増加と比較すると非常に小さいので、信号が範囲Ｒ１内にあることを確実に検出することができる。
【００６４】
次に、図７に示すステップＳ１，Ｓ５の処理の第５実施例を説明する。本実施例では、受信信号に多値度（変調度）の異なる信号が混在する場合でも、上記第２及び第３実施例のように第１又は第２の位相検出方法で絶対位相を検出する。尚、多値度（変調度）の異なる信号が混在する変調信号の伝送自体は、例えば加藤久和他による、「衛星ＩＳＤＢ伝送方式の検討」、映像情報メディア学会技術報告、Ｖｏｌ．２１，Ｎｏ．２５，ｐｐ．１〜５，ＢＣＳ９７−１２（１９９７年３月）等で紹介されているので、本明細書ではその説明は省略する。
【００６５】
受信信号に多値度（変調度）の異なる信号が混在する場合の一例として、８ＰＳＫで変調された信号とＱＰＳＫで変調された信号とが受信信号中に混在する場合がある。この場合、本実施例では、変調度の高い方の変調方式、即ち、８ＰＳＫに位相検出範囲を合わせることで、これより変調度の低い変調方式の位相検出範囲をもカバーする。つまり、図１６に示すように、８ＰＳＫで変調された信号の絶対位相は、８種類の位相検出範囲Ｒ１〜Ｒ８を用いて検出し、ＱＰＳＫで変調された信号の絶対位相は、４種類の位相検出範囲Ｒ１，Ｒ３，Ｒ５，Ｒ７又は位相検出範囲Ｒ２，Ｒ４，Ｒ６，Ｒ８を用いて検出する。これにより、８ＰＳＫより変調度の低いＱＰＳＫの位相検出範囲Ｒ１，Ｒ３，Ｒ５，Ｒ７又はＲ２，Ｒ４，Ｒ６，Ｒ８は、８ＰＳＫの位相検出範囲Ｒ１〜Ｒ８でカバーされる。
【００６６】
次に、図７に示すステップＳ１の処理の第６実施例を説明する。本実施例では、受信信号に含まれる同期信号が複数種類存在する場合に、１種類の同期信号又は複数種類の同期信号に基づいて、受信信号の信号点の絶対位相を第１の位相検出方法により検出する。
図１７は、図７に示すステップＳ１の処理の第６実施例を示すフローチャートである。図１７において、ステップＳ１が開始されると、ステップＳ４１は受信信号中のＮ種類（Ｎは任意の整数）の同期信号の連続受信回数ｎ１を設定し、ステップＳ４２は、同期信号内のビットエラー許容数ｍ１を設定する。
【００６７】
ｉ＝１〜Ｎとすると、ステップＳ４３−ｉは、実際のビットエラー数がビットエラー許容数ｍ１以下で同期信号ｉに基づく同期検出が行われたか否かを判定する。ステップＳ４３−ｉの判定結果がＹＥＳであると、ステップＳ４４−ｉは、同期信号ｉの受信回数ｓをｓ＝０にセットする。又、ステップＳ４５−ｉは、実際のビットエラー数がビットエラー許容数ｍ１以下で同期信号ｉに基づく同期検出が行われたか否かを判定する。ステップＳ４３−ｉ又はＳ４５−ｉの判定結果がＮＯの場合には、処理はステップＳ４３−ｉへ戻る。他方、ステップＳ４５−ｉの判定結果がＹＥＳであると、ステップＳ４６−ｉは、同期信号ｉの受信回数ｓをｓ＝ｓ＋１にインクリメントする。ステップＳ４７−ｉは、同期信号ｉの受信回数ｓが同期信号ｉの連続受信回数ｎ１と等しいか否かを判定し、判定結果がＮＯであると、処理はステップＳ４５−ｉへ戻る。ステップＳ４７−ｉの判定結果がＹＥＳであれば、処理はステップＳ４８へ進む。上記ステップＳ４３−ｉ〜Ｓ４７−ｉは、ｉ＝１〜Ｎについて並行して行われる。ステップＳ４８は、ステップＳ４７−１〜Ｓ４７−Ｎの判定結果が全てＹＥＳであるか否かを判定し、判定結果がＹＥＳとなると処理は終了する。
【００６８】
上記のステップＳ４１，Ｓ４２，Ｓ４３−ｉ〜Ｓ４７−ｉは、夫々図８に示すステップＳ１０１〜Ｓ１０７に対応している。
このように、本実施例では、第１の位相検出方法は、Ｎ種類の同期信号の同期信号の連続受信回数ｎ１を適切に設定することにより、存在する位相検出範囲から、定期的に受信される１又はＮ種類以下の同期信号の連続受信回数で同期検出を判断することにより絶対位相を検出する。
【００６９】
又、ビットエラー許容数ｍを適切に設定することにより、１又はＮ種類以下の同期信号に任意ビット数のエラーが発生しても、受信を可能する。つまり、同期信号は通常は複数ビットで構成されているので、ノイズが多くなると同期信号の検出が困難になってくる。しかし、同期信号が例えば８ビットで構成されている場合に、そのうちの１ビットにエラーが発生していてもこれを許容し、同期信号を検出可能としている。このため、ノイズが多い場合でも１又はＮ種類以下の同期信号の検出が可能となり、受信信号の信号点の絶対位相を高速に検出することができる。
【００７０】
尚、図１７において、Ｎ＝１の場合は絶対位相の検出速度を向上することができ、Ｎ≧２の場合は絶対位相の検出速度がＮ＝１の場合よりは多少遅くなるが、その分検出精度が向上する。従って、Ｎは受信装置に要求される性能に応じて選定すれば良い。
又、ステップＳ１が開始されると、図９に示すステップＳ１００で受信信号に対して誤り訂正処理を施した後に図１７に示すステップＳ４１へ進むようにしても良い。これにより、受信信号に対して誤り訂正処理を行ってから第１の位相検出方法による絶対位相の検出を行うので、検出速度の速い第１の位相検出方法による絶対位相の検出精度を向上することができる。
【００７１】
次に、図７に示すステップＳ５の処理の第６実施例を説明する。本実施例では、受信信号に含まれる同期信号が複数種類存在する場合に、１種類の同期信号又は複数種類の同期信号に基づいて、受信信号の信号点の絶対位相を第２の位相検出方法により検出する。
図１８は、図７に示すステップＳ５の処理の第６実施例を示すフローチャートである。図１８において、ステップＳ５が開始されると、ステップＳ５１は受信信号中のＮ種類（Ｎは任意の整数）の同期信号の受信回数のスレッショルドｎ２を設定し、ステップＳ５２は、同期信号内のビットエラー許容数ｍ２を設定する。ステップＳ５３は、同期信号の受信回数ｓをｓ＝０にセットする。
【００７２】
ｉ＝１〜Ｎとすると、ステップＳ５４−ｉは、実際のビットエラー数がビットエラー許容数ｍ２以下で同期信号ｉに基づく同期検出が行われたか否かを判定する。ステップＳ５４−ｉの判定結果がＮＯであると、ステップＳ５４−ｉが繰り返される。他方、ステップＳ５４−ｉの判定結果がＹＥＳであると、ステップＳ５５−ｉは、同期信号ｉの受信回数ｓをｓ＝ｓ＋１にインクリメントする。ステップＳ５６−ｉは、同期信号ｉの受信回数ｓが同期信号ｉの連続受信回数ｎ２と等しいか否かを判定し、判定結果がＮＯであると、処理はステップＳ５４−ｉへ戻る。ステップＳ５６−ｉの判定結果がＹＥＳであれば、処理はステップＳ５７へ進む。上記ステップＳ５４−ｉ〜Ｓ５６−ｉは、ｉ＝１〜Ｎについて並行して行われる。ステップＳ５７は、ステップＳ５６−１〜Ｓ５６−Ｎの判定結果が全てＹＥＳであるか否かを判定し、判定結果がＹＥＳとなると処理は終了する。
【００７３】
上記のステップＳ５１〜Ｓ５３，Ｓ５４−ｉ〜Ｓ５６−ｉは、夫々図１０に示すステップＳ５０１〜Ｓ５０６に対応している。
このように、本実施例では、第２の位相検出方法は、Ｎ種類の同期信号の受信回数のスレッショルドｎ２を適切に設定することにより、存在する位相検出範囲から、定期的に受信される１又はＮ種類以下の同期信号の受信回数の累積で同期検出を判断することにより絶対位相を検出する。
【００７４】
又、ビットエラー許容数ｍ２を適切に設定することにより、１又はＮ種類以下の同期信号に任意ビット数のエラーが発生しても、受信を可能する。つまり、同期信号は通常は複数ビットで構成されているので、ノイズが多くなると同期信号の検出が困難になってくる。しかし、同期信号が例えば８ビットで構成されている場合に、そのうちの１ビットにエラーが発生していてもこれを許容し、同期信号を検出可能としている。このため、ノイズが多い場合でも１又はＮ種類以下の同期信号の検出が可能となり、受信信号の信号点の絶対位相を高速に検出することができる。
【００７５】
尚、図１７及び図１８では、同期信号の連続受信回数ｎ１、ビットエラー数ｍ１、同期信号の受信回数のスレッショルドｎ２及びビットエラー数ｍ２が、夫々Ｎ種類の同期信号について共通に設定されているが、ｊ（≦Ｎ）種類の同期信号について別々に設定されていても良いことは言うまでもなく、以下に説明する各実施例でも同様である。
【００７６】
次に、図７に示すステップＳ１の処理の第７実施例を説明する。本実施例では、受信信号に含まれる同期信号が１又は複数種類存在する場合に、１又は複数種類の同期信号部分に個別に保護段数を設け、受信信号の信号点の絶対位相を第１の位相検出方法により検出する。
図１９は、図７に示すステップＳ１の処理の第７実施例を示すフローチャートであり、図２０は、図１９に示すステップＳ６１−ｉ（ｉ＝１〜Ｎ）の詳細を示すフローチャートである。図１９及び図２０中、図１７と同一ステップには同一符号を付し、その説明は省略する。
【００７７】
図１９において、ステップＳ１が開始されてステップＳ４１，Ｓ４２が行われると、ステップＳ６１−１〜Ｓ６１−Ｎが並行して行われる。本実施例では、ｉ＝１〜Ｎとすると、ステップＳ６１−ｉは、Ｎ種類の同期信号のうち、対応する同期信号ｉを検出する。ステップＳ６１−１〜Ｓ６１−Ｎのいずれかで対応する種類の同期信号が検出されると、ステップＳ６２は、２種類以上の同期信号が検出されたか否かを判定し、判定結果がＹＥＳとなると処理は終了する。
【００７８】
各ステップＳ６１−ｉは、図２０に示す如き処理を、対応する種類の同期信号に対して行う。ステップＳ６５−１〜Ｓ６５−Ｍ（Ｍは任意の整数）は、並行して行われる。ステップＳ６５−ｊ（ｊ＝１〜Ｍ）は、対応する種類の同期信号の同期信号箇所（部分）ｊの検出処理を開始する。ステップＳ４７−ｊの判定結果がＹＥＳとなると、ステップＳ６６は、ステップＳ４７−１〜Ｓ４７−Ｍのいずれかのステップの判定結果がＹＥＳであるか否かを判定し、ステップＳ６６の判定結果がＹＥＳとなると、処理は図１９に示すステップＳ６２へ進む。
【００７９】
これにより、同期信号が１種類でＮ＝１であり、保護段数が３でＭ＝３の場合、図２１にハッチングで示すように、１つ目の位置で示される同期信号箇所１、２つ目の位置で示される同期信号箇所２及び３つ目の位置で示される同期信号箇所３のいずれかで同期信号がｎ１回連続して検出されると、同期検出がなされたものとする。このため、全ての同期信号位置で同期信号がｎ１回連続して検出されないと同期検出がなされない場合と比較すると、ノイズにより同期信号がｎ１回連続して検出されない箇所があったとしても、絶対位相の検出が可能となる。
【００８０】
又、同期信号が２種類でＮ＝２であり、保護段数が３でＭ＝３の場合、図２２にハッチングで示すように、１つ目の位置で示される同期信号箇所１、２つ目の位置で示される同期信号箇所２及び３つ目の位置で示される同期信号箇所３のいずれかで種類１の同期信号がｎ１回連続して検出され、且つ、図２２に梨地で示すように、１つ目の位置で示される同期信号箇所１、２つ目の位置で示される同期信号箇所２及び３つ目の位置で示される同期信号箇所３のいずれかで種類２の同期信号がｎ１回連続して検出されると、同期検出がなされたものとする。このため、全ての同期信号位置で２種類の同期信号がｎ１回連続して検出されないと同期検出がなされない場合と比較すると、ノイズにより同期信号がｎ１回連続して検出されない箇所があったとしても、絶対位相の検出が可能となる。更に、データ部分に偶然同期信号と同一のパターンが発生していても、このデータパターンを同期信号として誤って検出して同期検出が行われるといった不都合も確実に防止できる。
【００８１】
次に、図７に示すステップＳ５の処理の第７実施例を説明する。本実施例では、受信信号に含まれる同期信号が１又は複数種類存在する場合に、１又は複数種類の同期信号部分に個別に保護段数を設け、受信信号の信号点の絶対位相を第２の位相検出方法により検出する。
図２３は、図７に示すステップＳ５の処理の第７実施例を示すフローチャートであり、図２４は、図２３に示すステップＳ７１−ｉ（ｉ＝１〜Ｎ）の詳細を示すフローチャートである。図２３及び図２４中、図１８と同一ステップには同一符号を付し、その説明は省略する。
【００８２】
図２３において、ステップＳ５が開始されてステップＳ５１〜Ｓ５３が行われると、ステップＳ７１−１〜Ｓ７１−Ｎが並行して行われる。本実施例では、ｉ＝１〜Ｎとすると、ステップＳ７１−ｉは、Ｎ種類の同期信号のうち、対応する同期信号ｉを検出する。ステップＳ７１−１〜Ｓ７１−Ｎのいずれかで対応する種類の同期信号が検出されると、ステップＳ７２は、２種類以上の同期信号が検出されたか否かを判定し、判定結果がＹＥＳとなると処理は終了する。
【００８３】
各ステップＳ７１−ｉは、図２４に示す如き処理を、対応する種類の同期信号に対して行う。ステップＳ７５−１〜Ｓ７５−Ｍ（Ｍは任意の整数）は、並行して行われる。ステップＳ７５−ｊ（ｊ＝１〜Ｍ）は、対応する種類の同期信号の同期信号箇所（部分）ｊの検出処理を開始する。ステップＳ５６−ｊの判定結果がＹＥＳとなると、ステップＳ７６は、ステップＳ５６−１〜Ｓ５６−Ｍのいずれかのステップの判定結果がＹＥＳであるか否かを判定し、ステップＳ７６の判定結果がＹＥＳとなると、処理は図２３に示すステップＳ７２へ進む。
【００８４】
これにより、同期信号が１種類でＮ＝１であり、保護段数が３でＭ＝３の場合、図２１にハッチングで示すように、１つ目の位置で示される同期信号箇所１、２つ目の位置で示される同期信号箇所２及び３つ目の位置で示される同期信号箇所３のいずれかで同期信号がｎ１回連続して検出されると、同期検出がなされたものとする。このため、全ての同期信号位置で同期信号がｎ１回連続して検出されないと同期検出がなされない場合と比較すると、ノイズにより同期信号がｎ１回連続して検出されない箇所があったとしても、絶対位相の検出が可能となる。
【００８５】
又、同期信号が２種類でＮ＝２であり、保護段数が３でＭ＝３の場合、図２２にハッチングで示すように、１つ目の位置で示される同期信号箇所１、２つ目の位置で示される同期信号箇所２及び３つ目の位置で示される同期信号箇所３のいずれかで種類１の同期信号がｎ１回連続して検出され、且つ、図２２に梨地で示すように、１つ目の位置で示される同期信号箇所１、２つ目の位置で示される同期信号箇所２及び３つ目の位置で示される同期信号箇所３のいずれかで種類２の同期信号がｎ１回連続して検出されると、同期検出がなされたものとする。このため、全ての同期信号位置で２種類の同期信号がｎ１回連続して検出されないと同期検出がなされない場合と比較すると、ノイズにより同期信号がｎ１回連続して検出されない箇所があったとしても、絶対位相の検出が可能となる。更に、データ部分に偶然同期信号と同一のパターンが発生していても、このデータパターンを同期信号として誤って検出して同期検出が行われるといった不都合も確実に防止できる。
【００８６】
次に、図７に示すステップＳ１の処理の第８実施例を説明する。本実施例では、受信信号に含まれる同期信号が１又は複数種類存在する場合に、１又は複数種類の同期信号部分に個別に同期はずれ検出の保護段数を設け、受信信号の信号点の絶対位相を第１の位相検出方法により検出する。
図２５は、図７に示すステップＳ１の処理の第８実施例を示すフローチャートであり、図２６は、図２５に示すステップＳ８３−ｉ（ｉ＝１〜Ｎ）の詳細を示すフローチャートである。
図２５において、ステップＳ１が開始されると、ステップＳ７８は同期検出処理を開始し、ステップＳ７９は同期検出が成功したか否かを判定する。ステップＳ７９の判定結果がＮＯであると、処理はステップＳ７８へ戻る。他方、ステップＳ７９の判定結果がＹＥＳであると、処理はステップＳ８０へ進む。ステップＳ７８，Ｓ７９は、例えば図１７又は図１９に示した処理により同期検出を行っても良い。
【００８７】
ステップＳ８０は、同期はずれ検出処理をスタートする。ステップＳ８１は、同期信号の連続喪失回数ｎ３を設定し、ステップＳ８２は、同期信号内のビットエラー許容数ｍ３を設定する。ステップＳ８３−ｉは、ｉ＝１〜Ｎについて並行して行われ、対応する種類の同期信号ｉの同期はずれを検出する。ステップＳ８４−ｉは、他の種類の同期信号を含めて（Ｎ−１）個以上の同期はずれが検出されたか否かを判定し、判定結果がＹＥＳであると、ステップＳ８６で同期はずれ検出処理を終了し、処理はステップＳ７８へ戻る。他方、ステップＳ８４−ｉの判定結果がＮＯであると、ステップＳ８５−ｉは、対応する種類の同期信号ｉの同期が確立したか否かを判定し、判定結果がＮＯであると、処理はステップＳ８４−ｉへ戻る。又、ステップＳ８５−ｉの判定結果がＹＥＳであると、処理はステップＳ８３−ｉへ戻る。
【００８８】
各ステップＳ８３−ｉは、図２６に示す如き処理を、対応する種類の同期信号に対して行う。ステップＳ８０１−１〜Ｓ８０１−Ｍは、並行して行われる。ステップＳ８０１−ｊ（ｊ＝１〜Ｍ）は、対応する種類の同期信号の同期信号箇所（部分）ｊの同期はずれ検出処理を開始する。ステップＳ８０２−ｊは、ビットエラー数がビットエラー許容数ｍ３以下で同期が喪失したか否かを判定し、判定結果がＹＥＳになると、ステップＳ８０３−ｊは、同期信号の喪失回数ｓ１をｓ１＝０にセットする。ステップＳ８０４−ｊは、ビットエラー数がビットエラー許容数ｍ３以下で同期が喪失したか否かを判定し、判定結果がＮＯであると、処理はステップＳ８０２−ｊへ戻る。他方、ステップＳ８０４−ｊの判定結果がＹＥＳであると、ステップＳ８０５−ｊは喪失回数ｓ１を「１」だけインクリメントし、ステップＳ８０６−ｊは、喪失回数ｓ１が設定された同期信号の連続喪失回数ｎ３と等しいか否かを判定する。
【００８９】
ステップＳ８０６−ｊの判定結果がＮＯであると、処理はステップＳ８０４−ｊへ戻る。又、ステップＳ８０６−ｊの判定結果がＹＥＳであると、ステップＳ８０７−ｊは、他の同期信号箇所を含めて（Ｍ−１）個以上の同期信号箇所でｓ１＝ｎ３が検出されたか否かを判定する。ステップＳ８０７−ｊの判定結果がＹＥＳであると、ステップＳ８０９で同期はずれの検出を終了して、処理は図２５に示すステップＳ８４−ｉへ戻る。他方、ステップＳ８０７−ｊの判定結果がＮＯであると、ステップＳ８０８−ｊは、同期信号箇所ｊの同期が確立したか否かを判定し、判定結果がＮＯであると、処理はステップＳ８０７−ｊへ戻る。又、ステップＳ８０８−ｊの判定結果がＹＥＳであると、処理はステップＳ８０１−ｊへ戻る。
【００９０】
これにより、同期信号が１種類でＮ＝１であり、同期はずれ検出の保護段数が３でＭ＝３の場合、図２７にハッチングで示すように、１つ目の位置で示される同期信号箇所１、２つ目の位置で示される同期信号箇所２及び３つ目の位置で示される同期信号箇所３の全てで同期信号がｎ３回連続して喪失しない限り、同期検出がなされたものとする。このため、全ての同期信号位置で同期信号が規定回数連続して検出されないと同期検出がなされない場合と比較すると、ノイズにより同期信号が規定回数連続して検出されない箇所があったとしても、絶対位相の検出が可能となる。
【００９１】
又、同期信号が２種類でＮ＝２であり、保護段数が３でＭ＝３の場合、図２８にハッチングで示すように、１つ目の位置で示される同期信号箇所１、２つ目の位置で示される同期信号箇所２及び３つ目の位置で示される同期信号箇所３の全てで種類１の同期信号がｎ３回連続して喪失し、且つ、図２８に梨地で示すように、１つ目の位置で示される同期信号箇所１、２つ目の位置で示される同期信号箇所２及び３つ目の位置で示される同期信号箇所３の全てで種類２の同期信号がｎ３回連続して喪失しない限り、同期検出がなされたものとする。このため、全ての同期信号位置で２種類の同期信号が規定回数連続して検出されないと同期検出がなされない場合と比較すると、ノイズにより同期信号が規定回数連続して検出されない箇所があったとしても、絶対位相の検出が可能となる。更に、データ部分に偶然同期信号と同一のパターンが発生していても、このデータパターンを同期信号として誤って検出して同期検出が行われるといった不都合も確実に防止できる。
【００９２】
次に、図７に示すステップＳ５の処理の第８実施例を説明する。本実施例では、受信信号に含まれる同期信号が１又は複数種類存在する場合に、１又は複数種類の同期信号部分に個別に同期はずれ検出の保護段数を設け、受信信号の信号点の絶対位相を第２の位相検出方法により検出する。
図２９は、図７に示すステップＳ５の処理の第８実施例を示すフローチャートであり、図３０は、図２９に示すステップＳ９４−ｉ（ｉ＝１〜Ｎ）の詳細を示すフローチャートである。
【００９３】
図２９において、ステップＳ５が開始されると、ステップＳ８８は同期検出処理を開始し、ステップＳ８９は同期検出が成功したか否かを判定する。ステップＳ８９の判定結果がＮＯであると、処理はステップＳ８８へ戻る。他方、ステップＳ８９の判定結果がＹＥＳであると、処理はステップＳ９０へ進む。ステップＳ８８，Ｓ８９は、例えば図１８又は図２３に示した処理により同期検出を行っても良い。
【００９４】
ステップＳ９０は、同期はずれ検出処理をスタートする。ステップＳ９１は、同期信号の受信回数のスレッショルドｎ４及び受信時間Ｔを設定し、ステップＳ９２は、同期信号内のビットエラー許容数ｍ４を設定する。ステップＳ９３は、同期信号の受信回数ｓ２をｓ２＝０にセットする。ステップＳ９４−ｉは、ｉ＝１〜Ｎについて並行して行われ、対応する種類の同期信号ｉの同期はずれを検出する。ステップＳ９５−ｉは、他の種類の同期信号を含めて（Ｎ−１）個以上の同期はずれが検出されたか否かを判定し、判定結果がＹＥＳであると、ステップＳ９７で同期はずれ検出処理を終了し、処理はステップＳ８８へ戻る。他方、ステップＳ９５−ｉの判定結果がＮＯであると、ステップＳ９６−ｉは、対応する種類の同期信号ｉの同期が確立したか否かを判定し、判定結果がＮＯであると、処理はステップＳ９５−ｉへ戻る。又、ステップＳ９６−ｉの判定結果がＹＥＳであると、処理はステップＳ９４−ｉへ戻る。
【００９５】
各ステップＳ９４−ｉは、図３０に示す如き処理を、対応する種類の同期信号に対して行う。ステップＳ９０１−１〜Ｓ９０１−Ｍは、並行して行われる。ステップＳ９０１−ｊ（ｊ＝１〜Ｍ）は、対応する種類の同期信号の同期信号箇所（部分）ｊの同期はずれ検出処理を開始する。ステップＳ９０２−ｊは、同期信号の検出時間をリセットし、ステップＳ９０３−ｊは、ビットエラー数がビットエラー許容数ｍ４以下で同期が喪失したか否かを判定し、判定結果がＹＥＳになると、ステップＳ９０４−ｊは、同期信号の受信回数ｓ２を「１」だけインクリメントする。ステップＳ９０５−ｊは、検出時間が受信時間Ｔより長いか否かを判定し、判定結果がＮＯであると、ステップＳ９０６−ｊは、受信回数ｓ２が設定された同期信号受信回数のスレッショルドｎ４と等しいか否かを判定する。
【００９６】
ステップＳ９０６−ｊの判定結果がＮＯであると、処理はステップＳ９０３−ｊへ戻る。又、ステップＳ９０６−ｊの判定結果がＹＥＳであると、処理はステップＳ９０１−ｊへ戻る。他方、ステップＳ９０５−ｊの判定結果がＹＥＳであると、ステップＳ９０７−ｊは、他の同期信号箇所を含めて（Ｍ−１）個以上の同期信号箇所で検出時間が受信時間Ｔより長いことが検出されたか否かを判定する。ステップＳ９０７−ｊの判定結果がＹＥＳであると、ステップＳ９０９で同期はずれの検出を終了して、処理は図２９に示すステップＳ９５−ｉへ戻る。他方、ステップＳ９０７−ｊの判定結果がＮＯであると、ステップＳ９０８−ｊは、同期信号箇所ｊの同期が確立したか否かを判定し、判定結果がＮＯであると、処理はステップＳ９０７−ｊへ戻る。又、ステップＳ９０８−ｊの判定結果がＹＥＳであると、処理はステップＳ９０１−ｊへ戻る。
【００９７】
これにより、同期信号が１種類でＮ＝１であり、同期はずれ検出の保護段数が３でＭ＝３の場合、図２７にハッチングで示すように、１つ目の位置で示される同期信号箇所１、２つ目の位置で示される同期信号箇所２及び３つ目の位置で示される同期信号箇所３の全てで同期信号がｎ３回連続して喪失しない限り、同期検出がなされたものとする。このため、全ての同期信号位置で同期信号が規定回数連続して検出されないと同期検出がなされない場合と比較すると、ノイズにより同期信号が規定回数連続して検出されない箇所があったとしても、絶対位相の検出が可能となる。
【００９８】
又、同期信号が２種類でＮ＝２であり、保護段数が３でＭ＝３の場合、図２８にハッチングで示すように、１つ目の位置で示される同期信号箇所１、２つ目の位置で示される同期信号箇所２及び３つ目の位置で示される同期信号箇所３の全てで種類１の同期信号がｎ３回連続して喪失し、且つ、図２８に梨地で示すように、１つ目の位置で示される同期信号箇所１、２つ目の位置で示される同期信号箇所２及び３つ目の位置で示される同期信号箇所３の全てで種類２の同期信号がｎ３回連続して喪失しない限り、同期検出がなされたものとする。このため、全ての同期信号位置で２種類の同期信号が規定回数連続して検出されないと同期検出がなされない場合と比較すると、ノイズにより同期信号が規定回数連続して検出されない箇所があったとしても、絶対位相の検出が可能となる。更に、データ部分に偶然同期信号と同一のパターンが発生していても、このデータパターンを同期信号として誤って検出して同期検出が行われるといった不都合も確実に防止できる。
【００９９】
尚、上記実施例では、本発明がデジタル衛星放送システムに適用されているが、本発明は復調装置が受信する受信信号の信号点の絶対位相を検出して受信信号を復調する構成の通信システムであれば同様に適用可能である。
以上、本発明を実施例により説明したが、本発明は上記実施例に限定されるものではなく、本発明の範囲内で種々の変形及び改良が可能であることは言うまでもない。
【０１００】
【発明の効果】
従って、本発明によれば、受信装置の受信状態に拘らず、受信信号の信号点の絶対位相の検出精度及び検出速度を向上することのできる復調方法及び受信装置を実現することができる。
【図面の簡単な説明】
【図１】８ＰＳＫで変調された信号の復調時の絶対位相の検出を説明する図である。
【図２】８ＰＳＫで変調された信号の復調時の絶対位相の検出を説明する図である。
【図３】受信信号のフォーマットを示す図である。
【図４】本発明になる受信装置の復調装置の概略構成を示すブロック図である。
【図５】本発明になる受信装置の一実施例を示すブロック図である。
【図６】デジタル復調装置の機能を実現するコンピュータシステムを示すブロック図である。
【図７】絶対位相検出部の動作をソフトウェアで実現した場合のコンピュータシステムのＣＰＵの動作を説明するフローチャートである。
【図８】図７に示すステップＳ１の処理の第１実施例を示すフローチャートである。
【図９】図７に示すステップＳ１の処理の第１実施例の変形例を示すフローチャートである。
【図１０】図７に示すステップＳ５の処理の第１実施例を示すフローチャートである。
【図１１】８ＰＳＫで変調されている受信信号の位相を示す図である。
【図１２】図７に示すステップＳ１，Ｓ５の処理の第２実施例を示すフローチャートである。
【図１３】図７に示すステップＳ１，Ｓ５の処理の第３実施例を示すフローチャートである。
【図１４】ノイズの絶対位相検出への影響を説明する図である。
【図１５】図７に示すステップＳ１，Ｓ５の処理の第４実施例を説明する図である。
【図１６】図７に示すステップＳ１，Ｓ５の処理の第５実施例を説明する図である。
【図１７】図７に示すステップＳ１の処理の第６実施例を示すフローチャートである。
【図１８】図７に示すステップＳ５の処理の第６実施例を示すフローチャートである。
【図１９】図７に示すステップＳ１の処理の第７実施例を示すフローチャートである。
【図２０】図１９に示すステップＳ６１−ｉの詳細を示すフローチャートである。
【図２１】同期信号が１種類の場合の絶対位相の検出を説明する図である。
【図２２】同期信号が２種類の場合の絶対位相の検出を説明する図である。
【図２３】図７に示すステップＳ５の処理の第７実施例を示すフローチャートである。
【図２４】図２３に示すステップＳ７１−ｉの詳細を示すフローチャートである。
【図２５】図７に示すステップＳ１の処理の第８実施例を示すフローチャートである。
【図２６】図２５に示すステップＳ８３−ｉの詳細を示すフローチャートである。
【図２７】同期信号が１種類の場合の同期はずれの検出を説明する図である。
【図２８】同期信号が２種類の場合の同期はずれの検出を説明する図である。
【図２９】図７に示すステップＳ５の処理の第８実施例を示すフローチャートである。
【図３０】図２９に示すステップＳ９４−ｉの詳細を示すフローチャートである。
【符号の説明】
１      第１の検出部
２      第２の検出部
３      位相決定部
８      衛星
９      アンテナ
１１      ダウンコンバータ
１２      デジタル復調装置
１３      オーディオ／ビデオデコーダ
１５      ＴＶモニタ
２１      キャリア復調部
２２      絶対位相検出部
２３      エラ−訂正部
２０１      バス
２０２      ＣＰＵ
２０３      ＲＯＭ
２０４      ＲＡＭ
【図１】
0003558869.tif 000002
【図２】
0003558869.tif 000003
【図３】
0003558869.tif 000004
【図４】
0003558869.tif 000005
【図５】
0003558869.tif 000006
【図６】
0003558869.tif 000007
【図７】
0003558869.tif 000008
【図８】
0003558869.tif 000009
【図９】
0003558869.tif 000010
【図１０】
0003558869.tif 000011
【図１１】
0003558869.tif 000012
【図１２】
0003558869.tif 000013
【図１３】
0003558869.tif 000014
【図１４】
0003558869.tif 000015
【図１５】
0003558869.tif 000016
【図１６】
0003558869.tif 000017
【図１７】
0003558869.tif 000018
【図１８】
0003558869.tif 000019
【図１９】
0003558869.tif 000020
【図２０】
0003558869.tif 000021
【図２１】
0003558869.tif 000022
【図２２】
0003558869.tif 000023
【図２３】
0003558869.tif 000024
【図２４】
0003558869.tif 000025
【図２５】
0003558869.tif 000026
【図２６】
0003558869.tif 000027
【図２７】
0003558869.tif 000028
【図２８】
0003558869.tif 000029
【図２９】
0003558869.tif 000030
【図３０】
0003558869.tif 000031